(57)【要約】【課題】永久カレンダにおいて、４００年毎の修正を自動で行う機構を提供する。【解決手段】永久カレンダが、カレンダ機構に組み込まれている追加機構（４から１３）を有し、追加機構は４００年で一回転する最後の歯車（１３）を有し、歯車（１３）が支持するカム（１３’）の段が、歯車（６）を中心に回転するレバー（９）と協働し、歯車（６）が２月カム（７’）に取り付けられたサテライト（７）を支持しており、１００年毎に１／４回転する前記カム（１３’）が、複合レバー（２）が押すカム（７）が、２１００、２２００、２３００年のために連続して３回、２月の２８日の月について、同じ位置にあるように、レバー（９）が後退し、次いで２４００年の２月２９日を取り戻すための高い段に動くことを可能とする三つの低い段を有する。【選択図】図２
2007218914.tif 000002
【特許請求の範囲】
【請求項１】
従来の永久カレンダ機構を有する時計、特に腕時計用の永久カレンダであって、
追加機構（４、５、６、７、８、９、１０、１１、１２、１３）がカレンダ機構に組み込まれていて、４００年で一回転する最後の歯車（１３）を有し、
前記歯車（１３）が支持するカム（１３’）の段が、歯車（６）を中心に回転するレバー（９）と協働し、前記歯車（６）が２月カム（７’）に取り付けられたサテライト（７）を支持しており、
１００年毎に１／４回転する前記カム（１３’）が、複合レバー（２）が押すカム（７）が２１００、２２００、２３００年のために連続して３回、２月の２８日の月について同じ位置にあるように、レバー（９）が後退し、次いで２４００年の２月２９日を取り戻すための高い段に動くことを可能とする三つの低い段を有することを特徴とする
永久カレンダ。
【請求項２】
歯車（１２）が二連のピン（１２’）を支持し、
二連のピン（１２’）の機能が、世紀の最初の年の２月の後に、歯車（１３）ひいてはカム（１３’）を１／８回転させることによって、その後に続く９９年間のためにカレンダを通常のリズムに戻すことである請求項１に記載の永久カレンダ。
【請求項３】
レバー（９）のフィーラ（１４）が、カム（１３’）を押し、それによってレバー（９）の角度位置を変更し、その結果、その年が世紀の最後の年であるか否かによって、各２月中にカム（１３’）の位置によって決まる月の日数を修正する請求項１に記載の永久カレンダ。
【発明の詳細な説明】
【技術分野】
【０００１】
本発明は、時計、特に腕時計用の永久カレンダに関する。
【背景技術】
【０００２】
出願人による先行技術の検索の結果、スイス特許第653,841号とドイツ連邦共和国特許第31,294号の二つが先行技術として同定された。これらの特許には、永久カレンダが記載されており、またその技術的態様が開示されている。ドイツ連邦共和国特許第31,294号に記載されている機構は、むしろ置時計での使用を意図しており、腕時計における使用は非現実的である。しかし、パテックフィリップス（Pateck Philips SA）のスイス特許第653,841号はより精巧な機構を開示している。この機構によると、長期カムと協働する歯車は、月カムによって１００年に一回転の割合で回転する。この１００年で一回転する歯車に、四つの歯を有し、１００年毎に１／４回転するサテライトが設置されている。このサテライトは機能的にいくつかの問題を抱えるマルタ十字の形状をしている。
【特許文献１】スイス特許第653,841号明細書
【特許文献２】ドイツ連邦共和国特許31,294号明細書
【発明の開示】
【発明が解決しようとする課題】
【０００３】
本発明の目的は、４００年毎に一回転するよう設計された、カムを支持する永久ギア列を有する永久カレンダを提案することである。
【課題を解決するための手段】
【０００４】
時計、特に腕時計用である本発明の永久カレンダは、従来式のレトログレードの永久カレンダ機構を含んでおり、また、その追加機構が従来式の永久カレンダと連動し、４００年に一回転する最終歯車を備える特徴を有する。最終歯車はカムを支持しており、カムの段と、２月カムに取り付けられたサテライトを駆動する歯車を中心に回転するレバーとが協働する。１００年毎に１／４回転するカムは、複合レバーが押すカムが、２１００、２２００、２３００年のために連続して３回、２月の２８日の月について、同じ位置にあるように、レバーが後退し、次いで２４００年の２月２９日を取り戻すための高い段に動くことを可能とする三つの低い段を有することを特徴とする。永久カレンダを有する腕時計が近日中に販売されると、永久カレンダ機構は２４００年に一回目の補正をするであろう。
【０００５】
好適な実施形態によると、４００年毎に一回転する歯車とかみ合っている歯車は、二連のピンを備えており、その機能は、世紀の最初の年の２月の後に４００年車及び４００年車に取り付けられているカムを１／８回転させることによって、続く９９年間においてカレンダの通常のリズムを取り戻すことである。
【０００６】
レバーのフィーラが、４００年車に連結しているカムを押し、それによってレバーの角度位置を変更し、その結果、その年が世紀の最後の年であるか否かによって、各２月中に歯車（１３）に取り付けられたカムの位置によって決まる月の日数を修正する。
【０００７】
従来の永久カレンダによって行われる四年毎の補正は、グレゴリオ暦に一致しており、非常にすばらしい。また、図示した永久カレンダは、４００年毎、すなわち前二つの数字が４で割れる世紀の最初の年とも表現できる年、また別の言葉で言えば２０００、２４００、２８００年など、において閏年用の設定を維持するよう設計されている。
【０００８】
このように、前記４００年毎の間に存在する世紀の最初の年、例えば２１００、２２００、２３００、２５００、２６００、２７００などにおいては、閏年用の設定にはならない。
【発明を実施するための最良の形態】
【０００９】
図面に描かれている永久カレンダは、一連のギア列とカム４、５、６、７、７’、８、９、１０、１１、１１’、１２、１２’、１３、１３’及び１４と、軸１６を中心に回転し、日車３とそのカム３’及び２４時間車１とそのカム１’によって制御される複合レバー２とを有する。
【００１０】
図示されている永久カレンダは従来式の永久カレンダを基礎としており、４年間の周期において、２月が２８日間である連続する３年間と２月が２９日ある４年に一度の年が考慮されている。
【００１１】
この基本構造を基にして、最後の８歯の歯車１３が４００年で一回転するギア列を考案した。この最後の歯車１３は、それぞれ１／８回転に相当する三つの切欠を有する円状のカム１３’を支持する（図８参照）。
【００１２】
世紀の最後の年における2月
複合レバー２のフィーラ１５は、サテライトカム７’の閏年段に当接する。（２１００、２２００及び２３００年などにおいて）２月の２９日間を２８日間へと修正するために、フィーラ１４がカム１３’の切欠に当接して、一段（２９から２８）に相当する分だけレバー９を後退させるように、カム１３’が位置決めされている。
【００１３】
通常の４年のサイクルにおいては、２月２９日を表示するために、次の２月が来る前にカム１３’が最大径を示す位置へと戻ることが重要である。
【００１４】
要約すると、フィーラ１４は各世紀に２８日のみ若しくはそれ以上ではあるが１１ヶ月未満の間、カム１３’の小さな段に当接するであろう。
【００１５】
閏年用ギア列の説明
月車である歯車４はカム４’と星型部材４”と共に、一年間で一回転する。カム４’は、（その有効値以上に）非常に深い２月の段を有する。この星型部材４”は設定車５を駆動するよう設計されている車４へと取り付けられている。
【００１６】
歯車６は歯車４と同じ数の歯を有するため、設定車５は歯車６を一年で一回転駆動する。
【００１７】
固定の小歯車８が、歯車６の軸線上において、軸１６を中心に回転するレバー９に取り付けられている。
【００１８】
小歯車７は歯車６の一つのアームに対して自由に調節され、一年に１／４回転するようなギア比を有する小歯車８のサテライトとして設置されている。
【００１９】
小歯車７にはサテライトカム７’が取り付けられており、サテライトカム７’は周囲の１／４が２９日ある２月用の大径となっている。毎年サテライトカム７’は回転することによって、複合レバーが２月の間中に当接する設定点に対して、９０°の偏差を生じる。それら月末調整システムは、従来から用いられているものであり、日付用のラチェット及び月末用の補助ラチェットである。
【００２０】
永久ギア列
星型部材４”は月用星型部材である。それは各月に１／１２周だけ進み、従って、一年で一回転する。星型部材４”には、（従来技術である）不規則な月末までの長さを調整するための異なる深さの１２段を備えた月カム４’が取り付けられている。
【００２１】
星型部材４”には、ピン１７を備えたディスクが取り付けられている。１月３１日から２月１日に移行する時に、このピンが歯車１０’の歯を動かす。それは、二つの歯の間で（中央の線上において）係合されたままの状態で留まる。
【００２２】
２月の最終日である２８日若しくは２９日の深夜に、ピン１７は一歯分進むことによって、歯車１０’の第二の歯を動かし、その歯車の周部から外れる。そして同様のことが、また翌年の１月３１日に始まる。それ故に、２０の歯を有する歯車１０’は１０年で一回転するであろう。
【００２３】
歯車１１の回転に関しては、原理的には歯車１０’の回転と同一である。歯車１１は２０の歯を有しており、ディスク１０に取り付けられたピンによって駆動され、１０年で二歯ずつ進む。この結果、１００年で一回転するであろう。
【００２４】
歯車１２は１２の歯を有する。１１歯の扇形部材１１’は、連続的に二歯ずつ６回にわたって駆動するであろう歯車１１に取り付けられており、歯車１２を駆動する。その結果、歯車１２は６０年で完全に一回転し、扇形部材１１’の次の歯が提示されるまで、４０年間動かないままである。それによって、１００年で一回転するであろう。
【００２５】
歯車１２には、１００年毎に一ヶ月の間に二度連続して歯車１３を駆動するであろう二連のピン１２’が固定されている。歯車１３は８つの歯を有しているため、４００年で一回転する（図１参照）。歯車１３は、レバー９のフィーラ１４と協働するカム１３’を支持する（世紀の最後の年の２月２８日に相当する位置を図示している図４参照）。
【００２６】
世紀の最初の年を除いて、レバー９のフィーラ１４は常にカム１３’の高い段に当接する。２１００、２２００及び２３００年において２月２９日を２８日へと変更するために、三度連続して世紀の最初の年の２月１日にフィーラ１４がカムの低い段に当接することで、レバー９を後ろに動かす。四度目、すなわち２４００年には、閏年用の設定に戻すために、フィーラ１４はカム１３’の高い段に当接する（図１参照）。
【００２７】
歯車１２の二連のピンの機能は、通常の閏年用サイクルに戻すために、世紀の最初の年の間にカム１３’を１／８回転させることによって次の９９年間用の高い段に戻すことである。
【図面の簡単な説明】
【００２８】
【図１】本発明による永久カレンダの様々なギア列の図である。
【図２】ギア列が通常の２月２８日に相当する位置にある永久カレンダのギア列の図である。
【図３】ギア列が通常の２月２９日に相当する位置にある永久カレンダのギア列の図である。
【図４】世紀の最後の年の２月２８日を示す位置にある永久カレンダのギア列の図である。
【図５】世紀の最後の年の２月２９日を示す位置にある永久カレンダのギア列の図である。
【図６】歯車６がサテライト７を備えており、アッセンブリ全体が軸１６を中心に回転するレバー９上に設置されているアッセンブリの図である。
【図７】歯車１１、１１’の分離及び集合状態を表した図である。
【図８】カム１３’を備えた歯車１３の図である。
【符号の説明】
【００２９】
１  ２４時間車
１’  カム
２  複合レバー
３  日車
３’  カム
４  月車
４’  カム
４”  星型部材
５  設定車
６  歯車
７  サテライト、小歯車
７’  サテライトカム、２月カム
８  小歯車
９  レバー
１０  ディスク
１０’  歯車
１１  歯車
１１’  扇形部材
１２  歯車
１２’  二連のピン
１３  ４００年車
１３’  ４００年カム
１４  フィーラ
１５  フィーラ
１６  軸
１７  ピン
【図１】
2007218914.tif 000003
【図２】
2007218914.tif 000004
【図３】
2007218914.tif 000005
【図４】
2007218914.tif 000006
【図５】
2007218914.tif 000007
【図６】
2007218914.tif 000008
【図７】
2007218914.tif 000009
【図８】
2007218914.tif 000010